(57)【要約】      （修正有）【課題】ユーザに操作を要求することなく一時的に通知情報を提示する情報通知装置を提供する。【解決手段】ＣＥＣコマンドにより選択される情報入力端子を切り替える情報通知装置である。通知情報を受信したことに応じてＳ１、リクエストアクティブソースコマンドをブロードキャスト送信しＳ２、他のソース機器からリクエストアクティブソースコマンドに対応する第１のアクティブソースコマンドを受信したことに応じてＳ３、第１のアクティブソースコマンドに含まれる物理アドレスを保存しＳ５、自装置が接続される情報入力端子をアクティブ状態に切り替えることを他のソース機器に通知する第２のアクティブソースコマンドをブロードキャスト送信しＳ６、通知情報を出力することを指示しＳ７、保存した物理アドレスを有する他のソース機器にセットストリームパスコマンドを情報送信先機器から送信することを指示する特殊コマンドを送信するＳ１０。【選択図】図５
2016189533.tif 000002
【特許請求の範囲】
【請求項１】
ＨＤＭＩ（High Definition Multimedia Interface）規格で規定されるＣＥＣ（Consumer Electronics Control）コマンドを利用して情報送信先機器で選択される情報入力端子を切り替える情報通知装置であって、
ネットワークを介してユーザに提示する通知情報を受信する情報受信部と、
前記情報送信先機器に前記ＣＥＣコマンドを用いたアクティブ状態とする前記情報入力端子の切り換えを要求すると共に、前記通知情報を出力するＨＤＭＩ送受信部と、
前記情報受信部と前記ＨＤＭＩ送受信部を制御する制御部と、
メモリと、を有し、
前記制御部は、
前記情報受信部から前記通知情報を受信したことを通知されたことに応じて、前記ＨＤＭＩ送受信部にリクエストアクティブソースコマンドをブロードキャスト送信することを指示し、
前記ＨＤＭＩ送受信部が他のソース機器から前記リクエストアクティブソースコマンドに対応する第１のアクティブソースコマンドを受信したことに応じて、前記第１のアクティブソースコマンドに含まれる物理アドレスを前記メモリに保存し、
自装置が接続される前記情報入力端子をアクティブ状態に切り替えることを他のソース機器に通知する第２のアクティブソースコマンドをブロードキャスト送信することを前記ＨＤＭＩ送受信部に指示し、
前記ＨＤＭＩ送受信部に前記通知情報を出力することを指示し、
前記メモリに保存した物理アドレスを有する他のソース機器にセットストリームパスコマンドを前記情報送信先機器から送信することを指示する特殊コマンドを送信することを前記ＨＤＭＩ送受信部に指示する情報通知装置。
【請求項２】
前記リクエストアクティブソースコマンド、前記第１のアクティブソースコマンド、前記第２のアクティブソースコマンド、及び前記セットストリームパスコマンドは定義が前記ＨＤＭＩ規格上で決定されたコマンドであり、前記特殊コマンドは、ベンダーにより所定の範囲で任意にコマンド内容を定義することが許容された前記ＨＤＭＩ規格上のコマンドである請求項１に記載の情報通知装置。
【請求項３】
前記特殊コマンドは、オペランド領域に前記セットストリームパスコマンドに対応するオペコードと前記メモリに保存された物理アドレスとを含む請求項１又は２に記載の情報通知装置。
【請求項４】
前記制御部は、前記通知情報の出力開始時刻から予め設定された表示期間が経過したことに応じて前記特殊コマンドを送信することを前記ＨＤＭＩ送受信部に指示する請求項１乃至３のいずれか１項に記載の情報通知装置。
【請求項５】
ネットワークを介してユーザに提示する通知情報を受信する情報受信部と、ＨＤＭＩ（High Definition Multimedia Interface）規格に対応するケーブルで情報送信先機器と接続されるＨＤＭＩ送受信部と、前記情報受信部と前記ＨＤＭＩ送受信部を制御する制御部と、メモリと、を有し、前記ＨＤＭＩ規格で規定されるＣＥＣ（Consumer Electronics Control）コマンドを前記ＨＤＭＩ送受信部において送受信することで前記情報送信先機器で選択される情報入力端子の切り替えを行う情報通知装置における情報通知方法であって、
前記情報受信部から前記通知情報を受信したことに応じて、リクエストアクティブソースコマンドをブロードキャスト送信し、
他のソース機器から前記リクエストアクティブソースコマンドに対応する第１のアクティブソースコマンドを受信したことに応じて、前記第１のアクティブソースコマンドに含まれる物理アドレスを前記メモリに保存し、
自装置が接続される前記情報入力端子をアクティブ状態に切り替えることを他のソース機器に通知する第２のアクティブソースコマンドをブロードキャスト送信し、
前記通知情報を前記情報送信先機器に出力し、
前記メモリに保存した物理アドレスを有する他のソース機器にセットストリームパスコマンドを前記情報送信先機器から送信することを指示する特殊コマンドを送信する情報通知方法。
【請求項６】
ネットワークを介してユーザに提示する通知情報を受信する情報受信部と、ＨＤＭＩ（High Definition Multimedia Interface）規格に対応するケーブルで情報送信先機器と接続されるＨＤＭＩ送受信部と、前記情報受信部と前記ＨＤＭＩ送受信部を制御する制御部と、メモリと、を有し、前記ＨＤＭＩ規格で規定されるＣＥＣ（Consumer Electronics Control）コマンドを前記ＨＤＭＩ送受信部において送受信することで前記情報送信先機器で選択される情報入力端子の切り替えを行う情報通知装置において前記制御部で実行される情報通知プログラムであって、
前記情報受信部から前記通知情報を受信したことに応じて、前記ＨＤＭＩ送受信部にリクエストアクティブソースコマンドをブロードキャスト送信することを指示し、
前記ＨＤＭＩ送受信部が他のソース機器から前記リクエストアクティブソースコマンドに対応する第１のアクティブソースコマンドを受信したことに応じて、前記第１のアクティブソースコマンドに含まれる物理アドレスを前記メモリに保存し、
自装置が接続される前記情報入力端子をアクティブ状態に切り替えることを他のソース機器に通知する第２のアクティブソースコマンドをブロードキャスト送信することを前記ＨＤＭＩ送受信部に指示し、
前記通知情報を前記情報送信先機器に出力することを前記ＨＤＭＩ送受信部に指示し、
前記メモリに保存した物理アドレスを有する他のソース機器にセットストリームパスコマンドを前記情報送信先機器から送信することを指示する特殊コマンドを送信することを前記ＨＤＭＩ送受信部に指示する情報通知プログラム。
【発明の詳細な説明】
【技術分野】
【０００１】
本発明は情報通知装置、情報通知方法及び情報通知プログラムに関し、例えば、情報を表示する表示装置に一時的に情報を表示する情報通知装置、情報通知方法及び情報通知プログラムに関する。
【背景技術】
【０００２】
近年、公衆ネットワーク或いは公衆放送電波を用いてユーザに緊急度の高い情報を提供することが行われている。緊急度の高い情報の１つに緊急地震速報などがある。しかしながら、例えば、録画番組をテレビに接続されるレコーダ等を用いて視聴している場合、公衆放送を介して通知される緊急地震速報がユーザに通知されないことがある。ここで、テレビ、ＡＶアンプ等のマルチメディア機器とマルチメディア機器に映像情報と音声信号との少なくとも一方を含む情報を与えるソース機器とを接続する規格にＨＤＭＩ（High Definition Multimedia Interface）規格がある。ＨＤＭＩは登録商標である。このＨＤＭＩ規格では、マルチメディア機器においてアクティブにする入力端子の切り換え等の操作を行うＣＥＣ（Consumer Electronics Control）コマンドが規定されている。そこで、ソース機器を用いた映像視聴を行っている際に緊急度の高い情報をユーザに提示する方法の１つとしてＣＥＣコマンドを用いた入力切り換えを用いることが考えられる。そこで、ＣＥＣコマンドを用いた機器の操作方法の例が特許文献１、２に開示されている。
【０００３】
特許文献１に記載の映像受信システムでは、テレビに内蔵されたチューナーからの映像出力を表示しており、テレビの選局部が特定のチャンネルを選局中であり、ユーザーからの特定の選局要求を表示機が受けた場合等、テレビに特定のメッセージを送信する手段を備えた外部受信機により、ユーザーはテレビに内蔵されたチューナーの選局とテレビに接続された外部受信機のチャンネルを連続的に切り替える。
【０００４】
特許文献１では、上記構成により、ユーザーが表示機の入力切換を行わずとも表示機の選局操作により、表示機に接続された外部受信機より出力される映像及び音声信号へ入力を切り替え、さらに外部受信機の選局操作をも行うことにより、容易に外部受信機の選局操作を行えることを可能とする。
【０００５】
特許文献２に記載の映像音声システムでは、映像音声情報を出力する出力装置３０が出力中の映像音声情報の入力元となる映像音声供給装置に対する指示を受け付ける指示受付部と、出力装置が出力中の映像音声情報の入力元となる映像音声供給装置のいずれかを決定する決定部と、指示受付部が受け付けた指示に対応した、映像音声供給装置を制御する制御情報を、決定部が決定した映像音声供給装置に出力する制御情報送信部を具備する制御装置を備える。
【０００６】
特許文献２に記載の映像音声システムでは、上記構成により、出力装置が現在出力中の映像音声情報の入力元となる映像音声供給装置を意識せずに制御することができる。
【先行技術文献】
【特許文献】
【０００７】
【特許文献１】特開２００４−３０４２２０号公報
【特許文献２】特開２００７−１８０６９７号公報
【発明の概要】
【発明が解決しようとする課題】
【０００８】
しかしながら、ＣＥＣコマンドのコマンドを用いて緊急度の高い情報をユーザへ通知したあと、もともと視聴していたソース機器に映像の入力先を戻すことは、既存のＣＥＣコマンドでは実現できない。そのため、緊急度の高い情報が表示された場合、ユーザは手動で、テレビの入力先を元々視聴していたソース機器に戻す必要があり、手間を要するといった課題があった。
【課題を解決するための手段】
【０００９】
本発明にかかる情報通知装置の一態様は、ＨＤＭＩ（High Definition Multimedia Interface）規格で規定されるＣＥＣ（Consumer Electronics Control）コマンドを利用して情報送信先機器で選択される情報入力端子を切り替える情報通知装置であって、ネットワークを介してユーザに提示する通知情報を受信する情報受信部と、前記情報送信先に前記ＣＥＣコマンドを用いた前記情報入力端子の切り換えを要求すると共に、前記通知情報を出力するＨＤＭＩ送受信部と、前記情報受信部と前記ＨＤＭＩ送受信部を制御する制御部と、メモリと、を有し、前記制御部は、前記情報受信部から前記通知情報を受信したことを通知されたことに応じて、前記ＨＤＭＩ送受信部にリクエストアクティブソースコマンドをブロードキャスト送信することを指示し、前記ＨＤＭＩ送受信部が他のソース機器から前記リクエストアクティブソースコマンドに対応する第１のアクティブソースコマンドを受信したことに応じて、前記第１のアクティブソースコマンドに含まれる物理アドレスを前記メモリに保存し、自装置が接続される前記情報入力端子をアクティブ状態に切り替えることを他のソース機器に通知する第２のアクティブソースコマンドをブロードキャスト送信することを前記ＨＤＭＩ送受信部に指示し、前記ＨＤＭＩ送受信部に前記通知情報を出力することを指示し、前記メモリに保存した物理アドレスを有する他のソース機器にセットストリームパスコマンドを前記情報送信先機器から送信することを指示する特殊コマンドを送信することを前記ＨＤＭＩ送受信部に指示する。
【００１０】
本発明にかかる情報通知方法の一態様は、ネットワークを介してユーザに提示する通知情報を受信する情報受信部と、ＨＤＭＩ（High Definition Multimedia Interface）規格に対応するケーブルで情報送信先機器と接続されるＨＤＭＩ送受信部と、前記情報受信部と前記ＨＤＭＩ送受信部を制御する制御部と、メモリと、を有し、前記ＨＤＭＩ規格で規定されるＣＥＣ（Consumer Electronics Control）コマンドを前記ＨＤＭＩ送受信部において送受信することで前記情報送信先機器で選択される前記情報入力端子の切り替えを行う情報通知装置における情報通知方法であって、前記情報受信部から前記通知情報を受信したことに応じて、リクエストアクティブソースコマンドをブロードキャスト送信し、他のソース機器から前記リクエストアクティブソースコマンドに対応する第１のアクティブソースコマンドを受信したことに応じて、前記第１のアクティブソースコマンドに含まれる物理アドレスを前記メモリに保存し、自装置が接続される前記情報入力端子をアクティブ状態に切り替えることを他のソース機器に通知する第２のアクティブソースコマンドをブロードキャスト送信し、前記通知情報を前記情報送信先機器に出力し、前記メモリに保存した物理アドレスを有する他のソース機器にセットストリームパスコマンドを前記情報送信先機器から送信することを指示する特殊コマンドを送信する。
【００１１】
本発明にかかる情報通知プログラムの一態様は、ネットワークを介してユーザに提示する通知情報を受信する情報受信部と、ＨＤＭＩ（High Definition Multimedia Interface）規格に対応するケーブルで情報送信先機器と接続されるＨＤＭＩ送受信部と、前記情報受信部と前記ＨＤＭＩ送受信部を制御する制御部と、メモリと、を有し、前記ＨＤＭＩ規格で規定されるＣＥＣ（Consumer Electronics Control）コマンドを前記ＨＤＭＩ送受信部において送受信することで前記情報送信先機器で選択される前記情報入力端子の切り替えを行う情報通知装置において前記制御部で実行される情報通知プログラムであって、前記情報受信部から前記通知情報を受信したことに応じて、前記ＨＤＭＩ送受信部にリクエストアクティブソースコマンドをブロードキャスト送信することを指示し、前記ＨＤＭＩ送受信部が他のソース機器から前記リクエストアクティブソースコマンドに対応する第１のアクティブソースコマンドを受信したことに応じて、前記第１のアクティブソースコマンドに含まれる物理アドレスを前記メモリに保存し、自装置が接続される前記情報入力端子をアクティブ状態に切り替えることを他のソース機器に通知する第２のアクティブソースコマンドをブロードキャスト送信することを前記ＨＤＭＩ送受信部に指示し、前記通知情報を前記情報送信先機器に出力することを前記ＨＤＭＩ送受信部に指示し、前記メモリに保存した物理アドレスを有する他のソース機器にセットストリームパスコマンドを前記情報送信先機器から送信することを指示する特殊コマンドを送信することを前記ＨＤＭＩ送受信部に指示する。
【発明の効果】
【００１２】
本発明にかかる情報通知装置、情報通知方法及び情報通知プログラムによれば、ユーザに操作を要求することなく一時的に通知情報を提示することができる。
【図面の簡単な説明】
【００１３】
【図１】実施の形態１にかかる情報通知装置を含む情報通知システムのブロック図である。
【図２】実施の形態１にかかる情報通知装置のブロック図である。
【図３】実施の形態１にかかる情報通知装置を含む情報通知システムで利用されるＣＥＣコマンドを説明する表である。
【図４】実施の形態１にかかる情報通知装置を含む情報通知システムの動作を説明するシーケンス図である。
【図５】実施の形態１にかかる情報通知装置の動作を説明するフローチャートである。
【発明を実施するための形態】
【００１４】
実施の形態１
以下、図面を参照して本発明の実施の形態について説明する。説明の明確化のため、以下の記載及び図面は、適宜、省略、及び簡略化がなされている。各図面において、同一の要素には同一の符号が付されており、必要に応じて重複説明は省略されている。
【００１５】
実施の形態１にかかる情報通知システム１のブロック図を図１に示す。図１に示すように、実施の形態１にかかる情報通知システム１は、情報送信先機器としてテレビ等の表示装置１０を用いる。そして、表示装置１０に備えられたＨＤＭＩ（High Definition Multimedia Interface）ポートに情報通知装置１１及びソース機器１２が接続される。なお、情報送信先機器としては、ＨＤＭＩポートが備えられている機器であれば、表示装置に限らず、音声のみを出力するオーディオ機器を利用することができる。また、情報通知装置１１は、ソース機器の１つであるが、以下の説明では、ソース機器１２と区別するために、情報通知装置１１についてソース機器の呼称は利用しない。また、ソース機器１２は、例えば、メディアプレーヤー、レコーダ等の映像視聴機器であるものとする。また、情報通知装置１１は、ネットワーク通信機能と、ＨＤＭＩポートとを有する機器であれば良く、例えば、ブロードバンドルータ等の映像の出力を主機能としない機器であっても良い。また、図１に示す例では、情報通知装置１１の物理アドレスを“０ｘ２０００”とし、ソース機器１２の物理アドレスを“０ｘ１０００”とした。
【００１６】
実施の形態１にかかる情報通知システム１では、表示装置１０を用いてソース機器１２が再生する映像を視聴中に、ネットワークを介して情報通知装置１１に緊急度の高い情報（以下、緊急通知情報）が届いた場合に、表示装置１０で背ｔんたくされる情報入力端子（例えば、ＨＤＭＩポート）を一時的にソース機器１２から情報通知装置１１に切り替える。ここで、実施の形態１にかかる情報通知システム１では、情報通知装置１１が特殊なＣＥＣ（Consumer Electronics Control）コマンド（以下、特殊コマンドと称す）を出力することで、一時的にアクティブ状態とするＨＤＭＩポートを切り替える。そこで、以下では、情報通知装置１１について詳細に説明する。
【００１７】
図２に実施の形態１にかかる情報通知装置１１のブロック図を示す。図２に示すように、情報通知装置１１は、情報受信部２０、制御部２１、ＨＤＭＩ送受信部２２、メモリ２３を有する。
【００１８】
ここで、制御部２１は、例えば、ＣＰＵ（Central Processing Unit）のようなプログラムを実行可能な演算部により実現可能である。また、制御部２１は、情報通知装置１１に求められる機能をハードウェアによって構成しても構わない。以下の説明では、制御部２１で実現される機能のうち情報通知機能えのみを説明する。この情報通知機能は、制御部２１で実行される情報通知プログラムにより実現されるものとする。
【００１９】
ここで、上述したプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００２０】
情報受信部２０は、ネットワークを介してユーザに提示する通知情報を受信する。ここで、情報通知装置１１が接続されるネットワークは、公衆ネットワーク、ＬＡＮ等であり、外部から緊急通知情報等の通知情報が届くものであればよい。ＨＤＭＩ送受信部２２は、情報送信先機器にＣＥＣコマンドを用いたアクティブ状態とするＨＤＭＩポートの切り換えを要求すると共に、通知情報を出力する。また、制御部２１は、ＨＤＭＩ規格に対応するケーブルで表示装置１０と接続される。制御部２１は、情報受信部２０とＨＤＭＩ送受信部２２を制御する。制御部２１による情報受信部２０及び制御部２１の制御方法の詳細は後述する。メモリ２３は、制御部２１の動作で生じるデータを保持する。
【００２１】
続いて、実施の形態１にかかる情報通知装置を含む情報通知システムで利用されるＣＥＣコマンドを説明する。そこで、図３に実施の形態１にかかる情報通知装置を含む情報通知システムで利用されるＣＥＣコマンドを説明する表を示す。
【００２２】
図３に示すように、実施の形態１にかかる情報通知システム１では、アクティブソースコマンド、リクエストアクティブソースコマンド、セットストリームパスコマンド、特殊コマンドを利用する。特殊コマンドは、ベンダーにより所定の範囲で任意にコマンド内容を定義することが許容されたＨＤＭＩ規格上のコマンド（例えば、ベンダーコマンド）を利用して新たに規定したものである。また、各コマンドは、ヘッダー、オペコード、オペランドの３つのフィールドが定義されている。
【００２３】
アクティブソースコマンドは、自装置がアクティブなソース機器であることを宣言するためのコマンドである。アクティブソースコマンドは、ヘッダーにヘッダ情報が記述され、オペコードにアクティブソースコマンドを示す値（０ｘ８２）が記述され、オペランドに装置の物理アドレスが記述される。
【００２４】
リクエストアクティブソースコマンドは、現時点でアクティブなソース機器にアクティブソースコマンドの送出を要求するコマンドである。リクエストアクティブソースコマンドは、ヘッダーにヘッダ情報が記述され、オペコードにリクエストアクティブソースコマンドを示す値（例えば、０ｘ８５）が記述され、オペランドには何も記述されない（或いは、無効な値が記述される）。
【００２５】
セットストリームパスコマンドは、オペランドに格納されている物理アドレスを有するソース機器が本コマンドを受信したときに、当該機器がアクティブなソース機器となり、当該ソース機器にアクティブソースコマンドを送出することを要求するコマンドである。セットストリームパスコマンドは、ヘッダーにヘッダ情報が記述され、オペコードにセットストリームパスコマンドを示す値（例えば、０ｘ８６）が記述され、オペランドには何も記述されない（或いは、無効な値が記述される）。
【００２６】
ベンダーコマンドは、ベンダーにより所定の範囲で任意にコマンド内容を定義することが許容されたＨＤＭＩ規格上のコマンドである。ベンダーコマンドは、ヘッダーにヘッダ情報が記述され、オペコードにベンダーコマンドを示す値（例えば、０ｘ８９）が記述され、オペランドにはベンダーが任意に規定する値を記述することができる。特殊コマンドは当該オペランドに、セットストリームパスコマンドを示す値（０ｘ８６）と表示装置１０が切り替えるＨＤＭＩポートに接続されるソース機器の物理アドレスが記述される。この特殊コマンドを受信した機器は、オペランドに格納されている物理アドレス宛に、セットストリームコマンドを送出する。たとえば、図１の構成において、表示装置１０に情報通知装置１１宛のセットストリームパスコマンドを送出させたい場合、特殊コマンドのオペランドに“０ｘ８６１０００”を記述する。
【００２７】
続いて、実施の形態１にかかる情報通知システム１の動作について説明する。そこで、図４に実施の形態１にかかる情報通知装置を含む情報通知システムの動作を説明するシーケンス図に示す。図４に示す例は、ソース機器１２がアクティブソースとなっている状態で情報通知装置１１が通知情報を受信した時の動作を示すものである。
【００２８】
図４に示すように、実施の形態１にかかる情報通知システム１では、情報通知装置１１の情報受信部２０にて通知情報を受信したことに応じて情報通知装置１１の制御部２１がＨＤＭＩ送受信部２２にリクエストアクティブソースコマンドをブロードキャスト送信することを指示する。そして、このリクエストアクティブソースコマンドを受信したことで、現時点でアクティブソースとなっているソース機器１２が第１のアクティブソースコマンドをブロードキャスト送信する。その後、情報通知装置１１のＨＤＭＩ送受信部２２が第１のアクティブソースコマンドを受信すると、情報通知装置１１の制御部２１は受信した第１のアクティブソースコマンドのオペランドに記述されているソース機器１２の物理アドレスをメモリ２３に保存する。
【００２９】
続いて、情報通知装置１１の制御部２１は、自装置がアクティブソースとなるために第２のアクティブソースコマンドをブロードキャスト送信することをＨＤＭＩ送受信部２２に指示する。これにより、表示装置１０は、情報通知装置１１が接続されるＨＤＭＩポートをアクティブ状態とする。その後、情報通知装置１１は情報受信部２０で受信した通知情報をＨＤＭＩ送受信部２２から出力する。これにより、表示装置１０に通知情報が提示される。そして、情報通知装置１１の制御部２１は一定期間が経過した後に特殊コマンドを表示装置１０に送信することをＨＤＭＩ送受信部２２に指示する。この特殊コマンドはセットストリームパスコマンドをソース機器１２に送信することを表示装置１０に指示するものである。特殊コマンドを受信した表示装置１０は、ソース機器１２にセットストリームパスコマンドを送信する。そして、セットストリームパスコマンドを受信したソース機器１２は、第３のアクティブソースコマンドをブロードキャスト送信する。これにより、表示装置１０は、アクティブ状態とするＨＤＭＩポートをソース機器１２が接続されるＨＤＭＩポートに切り替える。
【００３０】
続いて、上記情報通知システム１の動作を行うための情報通知装置１１の動作について説明する。そこで、実施の形態１にかかる情報通知装置の動作を説明するフローチャートを図５に示す。
【００３１】
図５に示すように、情報通知装置１１は、動作を開始すると情報受信部２０において表示情報が受信されるまで動作を待機する（ステップＳ１のＮＯの枝）。そして、情報通知装置１１は、情報受信部２０において通知情報の受信が検出されると（ステップＳ１のＹＥＳの枝）、制御部２１により、リクエストアクティブソースコマンドの送信をＨＤＭＩ送受信部２２に指示する（ステップＳ２）。
【００３２】
続いて、ＨＤＭＩ送受信部２２にて、ステップＳ２で送信したリクエストアクティブソースコマンドに対応する第１のアクティブソースコマンドを受信した場合（ステップＳ３のＹＥＳの枝）、制御部２１が受信した第１のアクティブソースコマンドのオペランドに記述された物理アドレスをメモリ２３に保存する（ステップＳ４）。一方、ＨＤＭＩ送受信部２２にて、ステップＳ２で送信したリクエストアクティブソースコマンドに対応する第１のアクティブソースコマンドの受信が確認出来なかった場合（ステップＳ３のＮＯの枝）、制御部２１は、物理アドレスの保存は行わずに次の処理を行う。
【００３３】
続いて、制御部２１は、自装置がアクティブソースであることを宣言する第２のアクティブソースコマンドの送信をＨＤＭＩ送受信部２２に指示する（ステップＳ６）。その後、制御部２１は、情報受信部２０が受信した通知情報を表示装置１０に出力することをＨＤＭＩ送受信部２２に指示する（ステップＳ７）。この通知情報の表示は、一定期間（例えば、通知情報の出力開始時刻から予め設定された表示期間）の間行われる（ステップＳ８）。
【００３４】
そして、制御部２１は、メモリ２３に物理アドレスが保存されてない場合（ステップＳ９のＮＯの枝）は、次の通知情報の入力があるまで動作を待機する。一方、メモリ２３に物理アドレスが保存されている場合（ステップＳ９のＹＥＳの枝）、制御部２１は、メモリ２３に保存されている物理アドレスとセットストリームパスコマンドの値とを含むオペランドを有する特殊コマンドを生成し、当該特殊コマンドの表示装置１０への送信をＨＤＭＩ送受信部２２に指示する（ステップＳ１０）。その後、制御部２１は、メモリ２３に保存されている物理アドレスを削除して（ステップＳ１１）、次の通知情報の入力があるまで動作を待機する。
【００３５】
上記説明より、実施の形態１にかかる情報通知装置１１は、ＣＥＣコマンドとして許容されているベンダーコマンドに基づき生成した特殊コマンドを用いる。これにより、実施の形態１にかかる情報通知装置１１を用いた情報通知システム１では、ユーザに操作を要求することなく緊急通知情報を一時的に提示することができる。特に、ユーザが緊急通知情報の提供手段を持たないソース機器を利用している場合、緊急通知情報を知りうる機会が喪失される虞がある。しかしながら、実施の形態１にかかる情報通知装置１１を用いることで、緊急通知情報の提示状態から元の状態への復帰に関してユーザの手間をなくしながら、このような情報の不達の虞をなくすことができる。
【００３６】
なお、本発明は上記実施の形態に限られたものではなく、趣旨を逸脱しない範囲で適宜変更することが可能である。
【符号の説明】
【００３７】
１  情報通知システム
１０  表示装置
１１  情報通知装置
１２  ソース機器
２０  情報受信部
２１  制御部
２２  ＨＤＭＩ送受信部
２３  メモリ
【図１】
2016189533.tif 000003
【図２】
2016189533.tif 000004
【図３】
2016189533.tif 000005
【図４】
2016189533.tif 000006
【図５】
2016189533.tif 000007